(57)【特許請求の範囲】
【請求項１】
複数のラックを隣合せて配置してラック列を構成し、一つのラック列と別のラック列とにより独立して構成されるホットアイル又はコールドアイルの空間を上部から覆うように塞ぐ天井塞ぎ装置及び当該天井塞ぎ装置を天井から吊り下げる吊り下げ装置によりキャッピングするキャッピングシステムであって、
前記ラック列間の空間の前方部及び後方部に扉を配置しており、
前記吊り下げ装置は、前記天井塞ぎ装置を天井から吊り下げて、上下方向の調整が可能な吊り下げ手段を有し、
前記天井塞ぎ装置は、前記吊り下げ手段により天井から吊り下げられる天井塞ぎ部材支持枠と、当該天井塞ぎ部材支持枠に着脱可能に装着される天井塞ぎ部材と、当該天井塞ぎ部材支持枠に取り付けられて前記ラック列の上面及び前記扉の上面に接触する面を含むＬ字状又はクランク状のラック上部隙間塞ぎ部材と、更に当該天井塞ぎ部材支持枠に取り付けられるＬ字状又はクランク状の塞ぎ部材とを有し、
前記天井塞ぎ装置の天井塞ぎ部材支持枠を前記吊り下げ装置の吊り下げ手段により吊り下げて前記ラック列の上側から設置したとき、前記天井塞ぎ部材は、前記ラック列及び前記扉の上方から前記空間を覆うように塞ぐ構成とし、
前記ラック上部隙間塞ぎ部材は、前記ラック列の上面及び前記扉の上面に接触する面が前記ラック列の上面、及び前記扉の上面に対向して前記天井塞ぎ部材と前記ラック列の上部との間に生じる隙間、及び前記天井塞ぎ部材と前記扉との間に生じる隙間を塞ぐ構成とし、
また、当該ラック列の一部をラック高さが相違するラックに取替えて当該ラック間に段差が生じるとき、前記Ｌ字状又はクランク状の塞ぎ部材は、隣同士の前記ラック間に生じる段差による隙間を塞ぐ構成とした
ことを特徴とする吊り下げキャッピングシステム。
【請求項２】
請求項１に記載の吊り下げキャッピングシステムにおいて、
前記天井塞ぎ装置の天井塞ぎ部材は、前記天井塞ぎ部材支持枠に装着される複数のポリカーボネート樹脂板状からなり、
前記吊り下げ装置は、前記天井塞ぎ装置の天井塞ぎ部材支持枠を天井から吊り下げ保持し、かつ当該天井塞ぎ装置を上下方向の長さを調整可能とするターンバックル及び長ネジを含む形状とする、
ことを特徴とする吊り下げキャッピングシステム。
【発明の詳細な説明】
【技術分野】
【０００１】
本発明は、吊り下げキャッピングシステムに関する。
【０００２】
例えば、複数のサーバを収納するサーバラックを設置したデータセンター（サーバ室）の空調設備であって、２列のサーバラック列間、又は１列のサーバラック列と壁との間に独立して構成されるホットアイルなどの空間の上部（天井開口部）をキャッピングするキャッピングシステムに関する。
【背景技術】
【０００３】
本技術分野の背景技術として、特開２００５−２６０１４８号公報（特許文献１）および特開２０１０−１２２７４７号公報などがある。
【０００４】
特許文献１には、「通路を挟んで両側に設置され前面から給気して上面または背面から熱を帯びた空気を排気する機器収容用ラックに設けられ、前記上面または背面から排出された空気の前記前面側への回り込みを阻止する回り込み防止装置において、前記通路を挟んで両側のラックの上面にそれぞれ設けられる固定具と、これら固定具に両端部を支持される遮蔽板とを備え、該遮蔽板は、前記両側の固定具の少なくともいずれか一方側で固定されることを特徴とする回り込み防止装置。」が記載されている（請求項１参照）。
【０００５】
また、特許文献２には、「複数のラックからなるラック列を対向配置し、該ラック列間に形成されるラック間通路に、天井部と入口扉部と該入口扉部対向する位置に設置された背面部を設けて形成されたラック間通路遮蔽構造。」が記載されている（請求項１参照）。
【先行技術文献】
【特許文献】
【０００６】
特開２００５−２６０１４８号公報
特開２０１０−１２２７４７号公報
【発明の開示】
【発明が解決しようとする課題】
【０００７】
前記特許文献１には、電算機室用空調システムにおいて、電算機等の機器を十分に冷却することができるとともに省エネルギーにも貢献する回り込み防止装置が記載されている。また、前記特許文献２には、サーバルーム・データセンターにおいて、サーバ自体の省電力化と共に、空調効率を改善できるラック間通路遮蔽構造が記載されている。
【０００８】
しかし、これらの装置や構造は、空調システムやサーバルーム・データセンターの遮蔽板や天井パネルを支持する固定具やレール部材を、ラックの上面や側面に取り付けるものであることから、その構築に際して、何れもラックに依存せざるを得ない。
【０００９】
例えば、最初に同一高さの複数のラックによってラック間通路遮蔽構造を構築した後、ラックの一部を入れ替えたり、ラック数を追加したりする場合がある。
【００１０】
このように、一度構築したラックの一部を変更する場合、まずラックに取り付けた固定具やレール部材を取り外してから、入れ替え対象のラックを取り出し、該取り出しラックに替え、新しいラックを装着する必要があった。従って、ラックの取り替え作業が容易でなく、柔軟性に欠ける課題がある。
【００１１】
換言すれば、一度構築したラックの一部を、効率良く、入れ替えたり、増加するような場合については特に考慮されていなかった。
【００１２】
のみならず、取り替えるラックの背の高さが、既に床に据え付けられているラックの背の高さと異なり、隣同士のラック間に段差が生じると、データセンターの内部の密閉性が低下する。この場合には、空調効率が低下するので、この段差による隙間を塞ぐことが必要となるが、その作業も容易でない。
【００１３】
そこで、本発明は、係る課題に鑑み、ラックの寸法・数量に依存せずに空調設備を含むデータセンターのサーバ室の構築が可能であり、またラックの寸法・数量の変更に対して簡易に対応が可能な吊り下げキャッピングシステムを提供する。
【課題を解決するための手段】
【００１４】
本発明の吊り下げキャッピングシステムは、複数のラックを隣合せて配置してラック列を構成し、一つのラック列と別のラック列とにより独立して構成されるホットアイル又はコールドアイルの空間を上部から覆うように塞ぐ天井塞ぎ装置及び当該天井塞ぎ装置を天井から吊り下げる吊り下げ装置によりキャッピングするキャッピングシステムであって、
前記ラック列間の空間の前方部及び後方部に扉を配置しており、
前記吊り下げ装置は、前記天井塞ぎ装置を天井から吊り下げて、上下方向の調整が可能な吊り下げ手段を有し、
前記天井塞ぎ装置は、前記吊り下げ手段により天井から吊り下げられる天井塞ぎ部材支持枠と、当該天井塞ぎ部材支持枠に着脱可能に装着される天井塞ぎ部材と、当該天井塞ぎ部材支持枠に取り付けられて前記ラック列の上面及び前記扉の上面に接触する面を含むＬ字状又はクランク状のラック上部隙間塞ぎ部材と、更に当該天井塞ぎ部材支持枠に取り付けられるＬ字状又はクランク状の塞ぎ部材とを有し、
前記天井塞ぎ装置の天井塞ぎ部材支持枠を前記吊り下げ装置の吊り下げ手段により吊り下げて前記ラック列の上側から設置したとき、前記天井塞ぎ部材は、前記ラック列及び前記扉の上方から前記空間を覆うように塞ぐ構成とし、
前記ラック上部隙間塞ぎ部材は、前記ラック列の上面及び前記扉の上面に接触する面が前記ラック列の上面、及び前記扉の上面に対向して前記天井塞ぎ部材と前記ラック列の上部との間に生じる隙間、及び前記天井塞ぎ部材と前記扉との間に生じる隙間を塞ぐ構成とし、
また、当該ラック列の一部をラック高さが相違するラックに取替えて当該ラック間に段差が生じるとき、前記Ｌ字状又はクランク状の塞ぎ部材は、隣同士の前記ラック間に生じる段差による隙間を塞ぐ構成とした
ことを特徴とする。
【００１５】
本発明の吊り下げキャッピングシステムは、例えば複数のラックを連接した１列以上のラック列を有するデータセンターの空調設備であり、当該複数のラックに収納される機器からの熱を冷却する際に、当該ラック列により独立して構成されるホットアイル又はコールドアイルの空間の上部開口部を天井塞ぎ部材で塞ぐキャッピングシステムであって、
前記空間の上部開口部を塞ぐ天井塞ぎ部材は、天井から吊り下げた長ネジを含む吊り下げ装置により、当該天井塞ぎ部材を支持する天井塞ぎ部材支持枠を介して吊り下げ保持し、
前記天井塞ぎ部材を保持する天井部材支持枠を設け、当該天井部材支持枠に、前記天井部材と前記ラックの上部との間に生じる隙間を塞ぐラック上部隙間塞ぎ部材を設けたことを特徴とする。
【００１６】
本発明の吊り下げキャッピングシステムは、例えば複数のラックを隣り合わせて配置し、少なくとも一つのラック列を構成し、当該ラック列の前面に前記複数のラックの正面又は背面を向けて並べ、当該ラック列の後面に独立したホットアイル又はコールドアイルの空間を構成し、当該空間を上部から覆って塞ぐように天井側に塞ぎ部材を配置し、当該空間の上部をキャッピングするキャッピングシステムであって、
前記塞ぎ部材を、天井に取り付けられた吊り下げ装置により、当該塞ぎ部材を支持する塞ぎ部材支持枠を介して上下方向に移動可能に吊り下げ保持し、
前記塞ぎ部材は、前記支持枠に装着される複数のポリカーボネート樹脂板状体からなり、
前記吊り下げ装置は、天井から吊り下げられ、上下方向の長さ調整が可能であって、前記塞ぎ部材支持枠を介して前記塞ぎ部材を吊り下げるターンバックル及び長ネジを含み、
前記塞ぎ部材支持枠には、前記塞ぎ部材と前記ラック列の上部との間及び前記天井部材と前記扉との間に生じる隙間を塞ぐ上部隙間塞ぎ部材を設けたことを特徴とする。
【発明の効果】
【００１７】
本発明によれば、ラックに依存せずに空調設備を含むデータセンターの構築を容易に行うことが可能な吊り下げキャッピングシステムを提供することができる。
【００１８】
また、ラックの寸法・数量の変更を含むラックの入れ替えなどに対して簡易に対応が可能で、良好な塞ぎ効果を期待することが可能な吊り下げキャッピングシステムを提供することができる。
上述した以外の課題、構成及び効果は、以下の実施形態の説明により明らかにされる。
【図面の簡単な説明】
【００１９】
【図１】本発明の吊り下げキャッピングシステムの全体構成を示す概略斜視図である。
【図２】本発明の吊り下げキャッピングシステムの正面図である。
【図３】本発明の吊り下げキャッピングシステムの側面図である。
【図４】本発明の吊り下げキャッピングシステムの天井塞ぎ部材、天井塞ぎ部材支持枠と天井吊り連結部材との位置関係を示す概略上面図である。
【図５】図２のア部分を拡大して示す拡大図であって、吊り下げ構造及び塞ぎ構造を示す構成図である。
【図６】図４のイ−イ’矢印斜視部分を拡大して示す拡大図であって、ラック列と天井塞ぎ部材の塞ぎ部材支持枠の構造を示す構成図である。
【図７】図４のウ部分を拡大して示す拡大図であって、ラック列間の塞ぎ装置の構造を示す図である。
【図８】ラック間に隙間が生じたとき、その隙間を塞ぐラック上部隙間塞ぎ装置の構造を示す図である。
【発明を実施するための形態】
【００２０】
以下、実施例について図面を用いて説明する。
【実施例１】
【００２１】
本実施例は、複数のサーバラックを隣り合わせて配置（連接）して２つのサーバラック列を構成し、当該２つのサーバラック列を対向して配置し、当該サーバラック列間にホットアイルの空間を構成し、当該空間の上部（天井開口部）を塞ぎ部材（天井部材）により塞ぐ例である。
【００２２】
図１は、本発明の一実施例の吊り下げキャッピングシステムの構成を示す概略斜視図、図２は、その正面図、図３は、その側面図、図４は、その上面図、図５は、その吊り下げ装置の一部を拡大して示す拡大図、図６及び図７は、天井塞ぎ装置の一部を拡大して示す拡大図である。
【００２３】
これらの図において、吊り下げキャッピングシステムは、２つのラック列１００、２００と、２つの扉３００、４００と、塞ぎ装置５００と、吊り下げ装置６００と、を有する。
【００２４】
２つのラック列１００、２００は、図１に示す如く、空調環境にあるサーバ室のフリーアクセス床７００の上に２列に対向して配置された複数のラック１０１〜１１１、２０１〜２１１を有する。
【００２５】
複数のラック１０１〜１１１、２０１〜２１１は、その背面同士が内側に対向し、正面がその反対側の外側に向くように配置し、ラック列１００、２００の背面側同士間に独立したホットアイルの空間８００を構成する。
【００２６】
複数のラック１０１〜１１１、２０１〜２１１の外側には、空調機（図示せず）が配置され、当該空調機の冷気がラック１０１〜１１１、２０１〜２１１の外側に位置する正面から、ラック内部を通して、ラックの内側に位置する背面のホットアイルの空間８００に吸気する。この空間８００に吸気された冷気は、フリーアクセス床７００の下から排出する。
【００２７】
本実施例では、複数のラック１０１〜１１１、２０１〜２１１の背面側同士が内側に対向するように配置し、冷気を外側から内側に吸気し、床下側から排出するものであるが、これは複数のラックの正面同士が内側に対向するように配置し、ラック列間にコールドアイルの空間を構成し、冷気を床下側から内側に吸気し、ラックの内部を通して外側に排出するように構成しても良い。
また、一列のラック列をサーバ室の壁に対向して配置し、壁との間に独立した空間を構成し、当該空間に空調機の冷気を吸気するように構成しても良い。
【００２８】
扉３００、４００は、ラック列１００、２００間の空間８００の前後の出入り口部分に取付けられた前扉、後扉である。
【００２９】
これらの扉３００、４００は、空間８００に出入りし、ラックに搭載されるサーバ等の機器をメンテナンスするときに利用する物理的ドアであるが、同様な機能を有するものであれば、エアーカーテンであっても良い。
また、扉は前扉３００、後扉４００の何れか１つであっても良く、その構造は特に問わない。扉３００、４００は、例えば、内部の様子が透けて見えるような透明部材からなる窓３０１、４０１が設けられている。この窓３０１、４０１は、例えば、密閉性を兼ねたポリカーボネット樹脂により構成するとよい。
【００３０】
塞ぎ装置５００は、ラック列１００、２００間に構成されるホットアイルの空間８００の上部（天井開口部）を塞ぐものであって、当該空間の上側（天井側）に位置し、当該空間上部（天井開口部）を塞ぐ天井塞ぎ部材５１０と、当該部材を支持する天井塞ぎ部材支持枠５２０と、当該天井塞ぎ部材５１０／天井塞ぎ部材支持枠５２０と扉３００、４００及びラック列１００、２００の上部との間に生じる隙間を塞ぐ上部隙間塞ぎ部材５３０（図５参照）及びラック上部隙間塞ぎ部材５３０’（図６参照）と、を有する。
【００３１】
天井塞ぎ部材５１０は、例えば、複数のポリカーボネート樹脂板状体５１０１からなり、空間８００の上部（天井開口部）を塞ぐ天井部材を構成する。ポリカーボネート樹脂板状体５１０１は、透明材とし、外部から空間８００の中が見えるようにするとよい。また、ポリカーボネート樹脂板状体５１０１は、例えば、ラック幅と同程度の幅を有する複数枚で構成するとよい。これにより、天井塞ぎ部材支持枠５２０への着脱が容易である。
【００３２】
また、天井塞ぎ部材５１０は、図１に示すようにラック列１００、２００の内側端部及び前扉３００、後扉４００の上部枠部分の上に位置するように配置し、当該天井塞ぎ部材５１０により、空間８００の上部（天井開口部）を覆うように配置する。
【００３３】
このように空間の上部（天井開口部）を覆うように配置することにより、当該空間を容易に塞ぐ（遮蔽する）ことができる。
【００３４】
天井塞ぎ部材５１０を支持する天井塞ぎ部材支持枠５２０は、例えば、複数の連結用角パイプ５２０１と、枠固定パイプ５２０２と、を有する（図６参照）。
【００３５】
複数の連結用角パイプ５２０１と枠固定パイプ５２０２とは、図６に示すように、枠固定金物５２０４及び枠固定金物用ネジ５２０５により連結し、一体的に構成する。
複数の連結用角パイプ５２０１には、天井塞ぎ部材５１０を固定ネジ５２０３などにより取付ける（図６参照）。
【００３６】
上部隙間塞ぎ部材５３０（図５、図７参照）は、天井塞ぎ部材５１０（複数のポリカーボネート樹脂板状体）と扉３００、４００との間に生じる上部隙間を塞ぐものであって、例えば、天井塞ぎ部材支持枠５２０にビス５３０１などにより取付けられるＬ字状やクランク状の金物からなる。この塞ぎ部材は、機密性を保てるものであれば、金物でなくてもよい。
【００３７】
また、ラック上部隙間塞ぎ部材５３０’（図６参照）は、天井塞ぎ部材５１０（複数のポリカーボネート樹脂板状体）とラック列１００、２００の上部との間に生じるラック上部隙間を塞ぐものであって、例えば、支持部材５２０にビス５３０１などにより取付けられるＬ字状やクランク状の金物からなる。この塞ぎ部材は、機密性を保てるものであれば、金物でなくてもよい。
【００３８】
なお、通常時には、このラック上部塞ぎ部材５３０’をもってラック列１００、２００と天井塞ぎ部材支持枠５２０との間の隙間を塞ぐ構成としているが、ラックの一部を、高さの異なるラックに入れ替えたりする場合には、天井塞ぎ部材支持枠５２０に取り付けされる塞ぎ部材を用いると有効である。ラックの入れ替え及びラック入れ替えに伴うラック間の隙間を塞ぐ方法に関しては後述する。
【００３９】
吊り下げ装置６００は、天井塞ぎ部材５１０を吊り下げるものであって、複数の第１の長ネジ６１０と、複数のターンバックル６２０（図２参照）と、複数の天上吊りボルト連結パイプ６３０と、複数の第２の長ネジ６４０と、取付金具６５０（図５参照）と、を有する。吊り下げ装置６００の補強の意味では、図２の一点鎖線で示す補強長ネジ６１１を設けるとよい。
【００４０】
第１の長ネジ６１０は、その一方を天井９１０（図２参照）に取り付ける。また、長ネジ６１０の他方は、図５に示す如く、天井吊りボルト連結パイプ６３０にナット６３０１などにより取り付ける。そして、ターンバックル６２０を回転することにより、天井６５０と天井吊りボルト連結パイプ６３０との距離を調整できるように構成する。
【００４１】
第２の長ネジ６４０は、その一方を図５に示す如く、天井吊りボルト連結パイプ６３０に取り付ける。
また長ネジ６４０の他方は、天井塞ぎ部材支持枠５２０の枠固定パイプ５２０２に取付金具６５０を介して取り付ける。そして、それらの取り付け用ナット６３０２をもって天井吊りボルト連結パイプ６３０と支持枠５２０との間の距離の調整が可能に構成する。
【００４２】
ここで、天井吊りボルト連結パイプ６３０及び天井塞ぎ部材支持枠５２０は、天井塞ぎ部材５１０により、空間の上部（空間開口部）を塞ぐ上で、有効に作用する。即ち、天井塞ぎ部材支持部５２０は、天井塞ぎ部材５１０の自重による撓みを防ぎ、天井吊りボルト連結パイプ６３０は、天井塞ぎ部材５１０及び天井塞ぎ部材支持枠５２０の自重による撓みを防ぐ。
【００４３】
以上述べたように、ラック列間の空間の上部（天井開口部）を天井塞ぎ部材により塞ぎ、空間の前方及び後方部分を扉などにより、塞ぐ構成とし、例えば２列に配置されたラック列の外側からラック列間のエリア空間に冷気を送り込み（吸気）、ラック列間の空間（エリア）の熱気を床下側から排出することにより、空間における空調設備（空調システム）による冷却効率を向上することが可能となる。
【００４４】
フリーアクセス床７００には、熱気を排出する排出口（図示せず）を有する。なお、吸気、排気は、その逆の流れで行っても良い。
【００４５】
次に、ラック列１００、２００のラックの一部を入れ替える場合について説明する。ラックの入れ替え作業は、例えば以下のようにして行う。
【００４６】
例えば、入れ替えるラックが他のラックより寸法が大きい場合、つまり背が低いラックを背が高いラックに入れ替える場合には、長ネジ６１０に装着されたターンバックル６２０を回転し、天井塞ぎ部材５１０の支持枠５２０を上方に吊り上げ、持ち上げる。
【００４７】
これにより、天井塞ぎ部材５１０は、ラック列１００、２００の上方向に吊り上げられ、天井塞ぎ部材５１０（支持枠５２０）がラック列１００、２００の上端部から離れ、上方向に吊り上げられる。つまり、ラック列１００、２００の各ラックは、天井塞ぎ部材５１０や天井塞ぎ部材支持枠５２０などに制約されることなく、自由に移動可能な状態になる。
【００４８】
即ち、ラックの取り出しや設置などのラック入れ替えに支障がない程度に天井塞ぎ部材５１０や天井塞ぎ部材支持枠５２０を吊り下げ装置６００の長ネジ６１０、ターンバックル６２０を利用して上方向に吊り上げ持ち上げる。
【００４９】
この天井塞ぎ部材支持枠の吊り上げにより、入れ替え対象のラックを取り出し、該取り出した部分に新たなラックを設置し、ラックの入れ替えを自由に行うことが可能である。入れ替え後は、天井塞ぎ部材５１０及び天井塞ぎ部材支持部材５２０を元の位置まで戻るように下側に吊り下げる。
【００５０】
また、入れ替えるラックが他のラックより寸法が小さい場合、つまり背が高いラックを背が低いラックに入れ替える場合も同様にして行う。
【００５１】
このように、天井塞ぎ部材（ポリカーボネート樹脂板状体）５１０を吊り下げる構成にすることによって、ラックの入れ替えを容易に行うことができる。
【００５２】
なお、天井塞ぎ部材５１０を直接吊り下げる構成としても良いが、天井塞ぎ部材５１０の自重により、天井塞ぎ部材が撓み、その塞ぎ効果を減少させる結果を招く問題が生じる。従って、天井塞ぎ部材５１０は、その支持枠５２０を介して行うことが望ましい。
【００５３】
また、ラックの入れ替え作業時に従来技術の如く、ラックに取り付けた固定具やレール部材をラックから取り外すような作業は必要としない。
【００５４】
また、このとき、同一大きさのラックの入れ替えを行う場合には、特に問題ないが、上述したように大きさの異なるラックの入れ替えに際しては、入れ替え後、ラックの上面と天井塞ぎ部材（ポリカーボネート樹脂板状体）５１０や天井塞ぎ部材支持枠５２０との間に大きな隙間が生じることになる。この隙間により冷却効率が低下する。
【００５５】
従って、このような場合には、一般には、この隙間部分に詰め物などにより、上部隙間を塞ぐことが考えられるが、その作業が容易でない。
【００５６】
本発明によれば、天井塞ぎ部材支持枠５２０にラック上部隙間塞ぎ部材５３０’を設けたものであることから、ラックの入れ替え後に、例えラックと天井塞ぎ部材との間に隙間が生じるような場合であっても、吊り上げた天井塞ぎ部材支持枠５２０を吊り下げるだけで上部塞ぎ部材５３０’により、天井塞ぎ部材とラック列間に生じる隙間を塞ぐことが可能であり、隙間の密閉も容易に行うことができる。
【００５７】
もし、このラック上部隙間塞ぎ部材５３０’で不十分の場合には、例えば図８に示す如く、そのラック取替え部分に、例えば、ラック幅と同一寸法のＬ字状やクランク状の金物からなる塞ぎ部材５３０２を天井塞ぎ部材支持枠５２０にネジ等の固定具５３０３により取り付けることにより、容易にラック間の隙間を塞ぐことができる。
【００５８】
図８は、ラック列１００のラック１０７を、当該ラックよりも背が低いラック１０７’に入れ替えた場合を示すものである。この場合、ラック１０６とラック１０８との間及び天井塞ぎ部材支持枠５２０との間に大きな隙間が生じることになるが、天井塞ぎ部材支持枠５２０に塞ぎ部材５３０２を図示の如く、取り付けることにより、当該隙間を容易に塞ぐことができる。
【００５９】
換言すれば、ラックの大きさに依存せずにキャッピングシステムを容易に構築することができ、ラックの配置替えなどの自由度を増すことができる。
【００６０】
また、天井塞ぎ部材５１０の上下方向の移動調整は、以下のような方法で行っても良い。
【００６１】
即ち、長ネジ６４０により、天井吊りボルト連結パイプ６３０と支持枠５２０との間隔が狭くなるように支持枠５２０を上方に移動するように調整する。これにより、背の高いラックの入れ替えを、自由度をもって容易に行うことができる。
【００６２】
上記実施例においては、２つのサーバラック列１００、２００を対向するように配置し、ラック列間に空間を構成したものであるが、１つのサーバラック列を壁やそれに代わるものに対向して配置し、壁との間に独立した空間を構成し、つまりラック内の機器の出し入れが可能な程度の空間を構成し、当該空間の上部（天井開口部）を天井塞ぎ装置により密閉し、当該天井塞ぎ装置を吊り下げ装置により吊り下げるように構成しても良い。
【００６３】
また、天井塞ぎ部材（複数のポリカーボネート樹脂板状体）の吊り下げ保持は、天井塞ぎ部材（複数のポリカーボネート樹脂板状体）を直接保持する構成であっても、該天井塞ぎ部材（複数のポリカーボネート樹脂板状体）を保持する天井塞ぎ部材支持枠を介して間接的に保持する構成であっても良い。
【００６４】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００６５】
１００、２００  ラック列
１０１〜１１１、２０１〜２１１  サーバラック
３００、４００  扉
５００  天井塞ぎ装置
５１０  天井塞ぎ部材（ポリカーボネート樹脂板状体）
５２０  支持部材
６３０  天井吊りボルト連結パイプ
６００  吊り下げ装置
６１０  長ネジ
６２０  ターンバックル
７００  フリーアクセス床
８００  空間
【図１】
0005587384.tif 000002
【図２】
0005587384.tif 000003
【図３】
0005587384.tif 000004
【図４】
0005587384.tif 000005
【図５】
0005587384.tif 000006
【図６】
0005587384.tif 000007
【図７】
0005587384.tif 000008
【図８】
0005587384.tif 000009